(57)【特許請求の範囲】
【請求項１】
情報端末を机表面から所定の高さ位置に支持するための情報端末支持部材であって、
机表面の上に自立可能な一端側脚部材と、該一端側脚部材から突出して設けられて前記情報端末の一端部を下方から受ける一端側受け部材と、を有する一端側支持スタンドと、
机表面の上に前記一端側脚部材から離間して自立可能な他端側脚部材と、該他端側脚部材から突出して設けられて前記情報端末の他端部を下方から受ける他端側受け部材と、を有する他端側支持スタンドと、
を備え、
前記一端側脚部材が、前記一端側受け部材が設けられて机表面に１点で接地する一端側前方脚部と、この一端側前方脚部と交差して机表面に２点で接地する一端側後方脚部とを有し、
前記他端側脚部材が、前記他端側受け部材が設けられて机表面に１点で接地する他端側前方脚部と、この他端側前方脚部と交差して机表面に２点で接地する他端側後方脚部とを有することを特徴とする情報端末支持部材。
【請求項２】
前記一端側受け部材が前記一端側脚部材に対して回動可能に設けられるとともに、前記他端側受け部材が前記他端側脚部材に対して回動可能に設けられていることを特徴とする請求項１に記載の情報端末支持部材。
【発明の詳細な説明】
【技術分野】
【０００１】
本発明は、情報端末を机表面から所定の高さ位置に支持し、持ち運びが容易な情報端末支持部材に関する。
【背景技術】
【０００２】
パネルコンピュータやＰＤＡやノートパソコン等の情報端末を展示し、デモンストレーションし、或いは机上の狭い領域に設置する場合、情報端末支持部材が従来用いられる。
この情報端末支持部材としては、表示部の裏面をねじ止めして固定する基台と、この基台の端部を支点として任意の角度に開脚する底面板と、基台と底面板とのなす角度を設定する角度調節機構とを備える情報端末支持部材が知られている（例えば、特許文献１参照）。
【０００３】
特許文献１に記載の情報端末支持部材は、基台にパソコンの表示部の裏面が取付けられ、底面板が、ヒンジを軸として任意の角度に開き、机の上に基台を三角形状に支持し、ステイが三角形状の基台の傾斜を机に対して所定の角度に設定する角度調節機構を有する。
そしてこの角度調節機構は、ステイの幅方向一端部に突出して設けられた係止ピンが、基台に固定された係止ブラケットによって回転可能に支持されるとともに、ステイの幅方向他端部に設けられたスライドロックが、底面板に固定されたレールに沿ってスライド可能に設けられることにより構成される。
そして、特許文献１に記載の情報端末支持部材は、基台の開口部を介して基台の裏面からパソコンの表示部に対して雄ねじがねじ込まれることにより、パソコンが固定される。
【先行技術文献】
【特許文献】
【０００４】
【特許文献１】特開平６−３１０８７３号公報
【発明の概要】
【発明が解決しようとする課題】
【０００５】
しかし、特許文献１に記載の従来の情報端末支持部材は、その横幅がパソコンの横幅と同程度と比較的大型であるため、持ち運びや組み立てに手間が掛かるという問題があった。
【０００６】
更に、従来の情報端末支持部材は、パソコンを支持するために、基台の裏面からパソコンの表示部に対して雄ねじをねじ込む必要があるため、パソコンの支持を迅速に行うことができないという問題もあった。
【０００７】
本発明は、前述した課題を解決するためになされたものであり、その目的は、持ち運びが容易であって、情報端末の向きによらずその迅速な支持が可能な情報端末支持部材を提供することにある。
【課題を解決するための手段】
【０００８】
本発明に係る情報端末支持部材は、情報端末を机表面から所定の高さ位置に支持するための情報端末支持部材であって、机表面の上に自立可能な一端側脚部材と、該一端側脚部材から突出して設けられて前記情報端末の一端部を下方から受ける一端側受け部材と、を有する一端側支持スタンドと、机表面の上に前記一端側脚部材から離間して自立可能な他端側脚部材と、該他端側脚部材から突出して設けられて前記情報端末の他端部を下方から受ける他端側受け部材と、を有する他端側支持スタンドと、を備え、前記一端側脚部材が、前記一端側受け部材が設けられて机表面に１点で接地する一端側前方脚部と、この一端側前方脚部と交差して机表面に２点で接地する一端側後方脚部とを有し、前記他端側脚部材が、前記他端側受け部材が設けられて机表面に１点で接地する他端側前方脚部と、この他端側前方脚部と交差して机表面に２点で接地する他端側後方脚部とを有することを特徴とする。
【発明の効果】
【０００９】
本発明に係る情報端末支持部材によれば、持ち運びが容易であって、情報端末をその向きによらず迅速に支持することができる。また、一端側支持スタンド及び他端側支持スタンドの離間距離を調整することにより、縦向き又は横向きの別によらず情報端末を容易且つ確実に支持することができる。また、一端側支持スタンド及び他端側支持スタンドを設置する向きを調整することにより、ノートパソコンのように開き角度が１８０°に満たないような情報端末を容易且つ確実に支持することができる。また、一端側支持スタンド及び他端側支持スタンドは、情報端末の一部を受けるものであるため、情報端末に接続される配線等の邪魔にならない。
【図面の簡単な説明】
【００１０】
【図１】本発明の実施形態に係る情報端末支持部材の外観を示す概略斜視図である。
【図２】支持スタンドの使用状態での外観を示す概略斜視図である。
【図３】支持スタンドの使用状態での外観を示す概略側面図である。
【図４】支持スタンドの折り畳み状態での外観を示す概略斜視図である。
【図５】後方脚部の動作を説明する図である。
【図６】受け部材を示す概略平面図である。
【図７】受け部材の動作を説明する図である。
【図８】情報端末支持部材を用いてパネル状の情報端末を支持した状態を示す概略正面図である。
【図９】パネル状の情報端末の情報端末支持部材への載置を説明する説明図である。
【図１０】情報端末支持部材を用いて２つ折りの情報端末を支持した状態を示す概略斜視図である。
【発明を実施するための形態】
【００１１】
以下、本発明の実施形態に係る情報端末支持部材について図面を参照して説明する。
図１は、本発明の実施形態に係る情報端末支持部材１０の外観を示す概略斜視図である。情報端末支持部材１０は、情報端末Ｔ（二点鎖線で示す）を机表面Ｄから所定の高さ位置に支持する左右一対の支持スタンド１１（一端側支持スタンド及び他端側支持スタンド）を備えるものである。
【００１２】
図２から図４は、支持スタンド１１の外観を示す図であって、図２は使用状態における概略斜視図、図３は使用状態における概略側面図、図４は折り畳み状態における概略斜視図である。支持スタンド１１は、机表面Ｄの上に自立する脚部材１２（一端側脚部材及び他端側脚部材）と、この脚部材１２から突出して設けられた受け部材１３（一端側受け部材及び他端側受け部材）と、を有している。
【００１３】
脚部材１２は、図２から図４に示すように、机表面Ｄに１点で接地する前方脚部１４（一端側前方脚部及び他端側前方脚部）と、机表面Ｄに２点で接地する後方脚部１５（一端側後方脚部及び他端側後方脚部）とが、不図示のヒンジを介して回動可能に連結されたものである。
【００１４】
前方脚部１４は、図２から図４に示すように、第１支柱１４１と、この第１支柱１４１における受け部材１３の下側に設けられたストッパ１４２と、を備えるものである。
【００１５】
第１支柱１４１は、図２に示すように、ＡＢＳ樹脂やプラスチックス等の高分子材料により断面四角形の棒形状に形成されており、上端部にヒンジの一方側が取り付けられ、下端部にゴム製の滑り止めやスポンジ製のクッション（不図示）が設けられている。
【００１６】
ストッパ１４２は、受け部材１３の回動範囲を規制するものである。このストッパ１４２は、図２に示すように断面四角形の棒形状に形成され、第１支柱１４１及び受け部材１３の両方に略直交した状態でその基端部が第１支柱１４１の前面に固定されることにより、その先端部が受け部材１３の側へ突出している。
【００１７】
後方脚部１５は、図２から図４に示すように、第２支柱１５１と、この第２支柱１５１の背部に設けられた脚支持板１５２と、第２支柱１５１を挟んで左右両側に設けられた一対の脚１５３と、を備えるものである。
【００１８】
第２支柱１５１は、第１支柱１４１と同様にＡＢＳ樹脂やプラスチックス等の高分子材料により断面四角形の棒形状に形成されており、第１支柱１４１のほぼ半分の長さを有する。この第２支柱１５１は、図２から図４に示すように、その上端部にヒンジの他方側が取り付けられることにより、第１支柱１４１に対して回動可能となっている。ここで、ヒンジは、第１支柱１４１と第２支柱１５１とに端末Ｔの重みで緩みが生じない強めの適切なトルクでネジ止めされているか、あるいは手で回せる不図示のネジで固定されており、第１支柱１４１と第２支柱１５１との開き角度を自由に調整できる。
【００１９】
脚支持板１５２は、図２から図４に示すように平板部材であって、第２支柱１５１の下端部における背面側に固定されることにより、第２支柱１５１の両側へ突出している。
【００２０】
一対の脚１５３は、図２から図４に示すように、ＡＢＳ樹脂やプラスチックス等の高分子材料により断面四角形の棒形状に形成され、その長手方向両端部が円弧形状にそれぞれ形成されている。また、一対の脚１５３の下端部には、ゴム製の滑り止めやスポンジ製のクッション（不図示）が設けられている。このように構成される一対の脚１５３は、その長手方向一端部がネジ１６を介して脚支持板１５２に対して回動可能にそれぞれ取り付けられている。
【００２１】
図５は、後方脚部１５の動作を説明する図である。一対の脚１５３は、その長手方向一端からネジ１６までの距離Ｌ１が、ネジ１６から第２支柱１５１に下ろした垂線の長さＬ２より長くなるようにそれぞれ設定されている。これにより一対の脚１５３は、図５（ａ）に示すように第２支柱１５１に略平行な状態から、図５（ｂ）に示すようにその長手方向一端部が第２支柱１５１に接触する状態までの範囲を、ネジ１６の回りにそれぞれ回動可能となっている。
【００２２】
図６は、受け部材１３を示す概略平面図である。受け部材１３は、図１に示す情報端末Ｔを下方から受けるものである。この受け部材１３は、断面四角形の棒形状に形成され、その幅寸法は第１支柱１４１の幅寸法に略等しく、その長手方向両端部は円弧形状にそれぞれ形成されている。このように構成される受け部材１３は、図２から図４に示すように、その基端部がネジ１７を介して第１支柱１４１の側面に回動可能に取り付けられている。
【００２３】
図７は、受け部材１３の動作を説明する図である。このように構成される受け部材１３は、図６（ａ）に示すように第１支柱１４１の長手方向に沿った状態から、図６（ｂ）に示すようにネジ１６の回りに反時計回りに回動し、図６（ｃ）に示すようにその下面にストッパ１４２が当接して第１支柱１４１と略９０°の角度をなす状態までの範囲を回動可能となっている。
【００２４】
このように構成される支持スタンド１１は、図２及び図３に示す使用状態においては、その受け部材１３が第１支柱１４１と略９０°の角度をなした状態にされるとともに、その後方脚部１５を構成する一対の脚１５３はその長手方向一端部が第２支柱１５１にそれぞれ当接した状態とされる。
【００２５】
また支持スタンド１１は、図４に示す折り畳み状態においては、その受け部材１３が第１支柱１４１の側面に略平行に添わせた状態にされるとともに、その後方脚部１５を構成する一対の脚１５３が第２支柱１５１に略平行な状態とされる。そして支持スタンド１１は、第１支柱１４１及び第２支柱１５１をヒンジの回りに回動させることにより、第１支柱１４１と第２支柱１５１とが略平行な状態とされる。これにより、折り畳まれた支持スタンド１１は全体として１本の棒状となり、その時の全長はＡ４サイズの用紙の短辺の長さ以下である。従って、情報端末支持部材１０の使用者は、支持スタンド１１を折り畳むことにより、情報端末支持部材１０を例えば洋服のポケットに収納した状態で持ち運ぶことができる。
【００２６】
次に、情報端末支持部材１０の使用例について説明する。
図８は、情報端末支持部材１０を用いてパネル状の情報端末Ｔ１を支持した状態を示す概略正面図である。また図９は、パネル状の情報端末Ｔ１の情報端末支持部材１０への載置を説明する説明図である。この場合使用者は、一対の支持スタンド１１を図２及び図３に示すような使用状態にそれぞれするとともに、両者を所定間隔だけ離して設置する。この時、図９に示すように、一対の支持スタンド１１を構成する第１支柱１４１の前面が同一平面を形成するようにしてそれぞれ設置する。そして、この一対の支持スタンド１１を構成する受け部材１３の上に、例えば横向きにした状態の情報端末Ｔ１の左右両端部をそれぞれ載置する。これにより、パネル状の情報端末Ｔ１の左右両端部を一対の受け部材１３によってそれぞれ下方から受けることにより、情報端末Ｔ１を支持することができる。
【００２７】
ここで、使用状態で設置された支持スタンド１１は、後方側に向かってよりも前方側に向かって倒れやすい。これは、後方脚部１５が一対の脚１５３による２点支持であるのに対し、前方脚部１４は第１支柱１４１のみによる１点支持だからである。これにより、使用者が情報端末Ｔ１を受け部材１３の上に載置する際に支持スタンド１１が前方に倒れやすいため、倒れた支持スタンド１１を起き上がらせる作業を使用者が行いやすいという利点がある。また、情報端末Ｔ１がタッチパネルを有しその操作が前面側から行われる場合、タッチパネルの操作時に情報端末Ｔ１に対して後方側への力が作用しても、支持スタンド１１が後方側へ倒れにくいという利点もある。
【００２８】
次に、情報端末支持部材１０の他の使用例について説明する。
図１０は、情報端末支持部材１０を用いて２つ折りの情報端末Ｔ２、例えば開き角度が１８０°に満たないノートパソコンを支持した状態を示す概略斜視図である。この場合も使用者は、一対の支持スタンド１１を図２及び図３に示すような使用状態にそれぞれするとともに、両者を所定間隔だけ離して設置する。但しこの場合、一対の支持スタンド１１を構成する第１支柱１４１の前面が所定の角度をなして互いに交差するようにして、一対の支持スタンド１１をそれぞれ設置する。そして、この一対の支持スタンド１１を構成する受け部材１３の上に、所定の角度だけ開いた情報端末Ｔ２を縦向きにした状態で載置する。これにより、２つ折りの情報端末Ｔ２の左右両端部を一対の受け部材１３によってそれぞれ下方から受けることにより、情報端末Ｔ２を支持することができる。
【００２９】
そして、所定のソフトウェア（不図示）を使用して情報端末Ｔ２のモニタに表示される画像を任意に回転させることにより、情報端末Ｔ２のモニタを縦型のモニタとして利用することができる。また、図１０に示すように、情報端末Ｔ２のうち一対の支持スタンド１１によって支持されるのは、その側部の一部分だけである。従って、情報端末Ｔ２の側部に例えばＡＣアダプタ（不図示）を接続するための配線Ｈが接続される場合、支持スタンド１１が配線Ｈの邪魔にならないという利点がある。すなわち、情報端末Ｔ２を縦型のモニタとして利用する場合に、一対の支持スタンド１１の存在によらず、情報端末Ｔ２の底部から配線Ｈを引き出すことができるという利点がある。
【００３０】
以上説明したように、情報端末支持部材１０は、一対の脚１５３により後方を２点で支持し、第１支柱１４１により前方を１点で支持する３点支持の構造を有する。
従って、情報端末支持部材１０は、一対の脚１５３と第１支柱１４１とによる３点支持で安定的に設置できる。
【００３１】
また、情報端末支持部材１０は、一対の第１支柱１４１が、後方へ向けて斜めに傾斜しているために、情報端末Ｔの重量が一対の受け部材１３および一対の第１支柱１４１に分散されて、情報端末Ｔを安定的に載置できる。
【００３２】
また、情報端末支持部材１０は、一対の支持スタンド１１が情報端末Ｔの両端部をそれぞれ支持するので、支持スタンド１１がＡＣアダプタ等を接続するための配線Ｈの邪魔にならない。
【００３３】
また、情報端末支持部材１０によれば、パソコンやタブレット等の情報端末Ｔを置く台として、小型且つ折り畳み可能な構造であるために、例えば洋服のポケットに入れて携帯し、使用者が利用しやすい角度にていつでも用意できる。
【００３４】
また、情報端末支持部材１０によれば、一対の支持スタンド１１を１組として使用するので、ノートパソコン等の情報端末Ｔのように、その開き角度が１８０°に満たない情報端末Ｔでも支持することができる。
【００３５】
また、情報端末支持部材１０によれば、構造が簡略であるために樹脂等による成形作業や組立作業が容易であるとともに、本情報端末支持部材１０から分離する部品がないために部品の紛失が発生しないという利点がある。
【００３６】
また、情報端末支持部材１０によれば、支持スタンド１１が折り畳み可能であるために、不使用時はポケット等に収容して容易に携帯することができる。
【００３７】
また、情報端末支持部材１０によれば、縦向き又は横向きの別によらず、情報端末Ｔを一対の支持スタンド１１によって安定した状態で支持することができる。
【００３８】
尚、上述した実施形態において示した各構成部材の諸形状や組み合わせ、或いは動作手順等は一例であって、本発明の主旨から逸脱しない範囲において設計要求等に基づき種々変更可能である。
【産業上の利用可能性】
【００３９】
本発明の情報端末支持部材は、パネルコンピュータやＰＤＡやノートパソコン等の支持に使用することができる。
【符号の説明】
【００４０】
１０  情報端末支持部材
１１  支持スタンド
１２  脚部材
１３  受け部材
１４  前方脚部
１５  後方脚部
１６  ネジ
１７  ネジ
１４１  第１支柱
１４２  ストッパ
１５１  第２支柱
１５２  脚支持板
１５３  脚
Ｄ  机表面
Ｈ  配線
Ｌ１  距離
Ｌ２  長さ
Ｔ  情報端末
Ｔ１  情報端末
Ｔ２  情報端末
【図１】
0005263313.tif 000002
【図２】
0005263313.tif 000003
【図３】
0005263313.tif 000004
【図４】
0005263313.tif 000005
【図５】
0005263313.tif 000006
【図６】
0005263313.tif 000007
【図７】
0005263313.tif 000008
【図８】
0005263313.tif 000009
【図９】
0005263313.tif 000010
【図１０】
0005263313.tif 000011